(57)【要約】【課題】システムを大幅に変更することなく景品の多種多様化に対応させる。【解決手段】登録された景品群から所望の景品を選択すると、当該景品の景品バーコード１００ａ及び当該景品の価格帯バーコード１００ｂが印刷されたレシート１００を発行するプリンタ３４を備えると共に、景品バーコードを読み取る第１のバーコードリーダ３５を備えた景品注文装置３と、価格帯バーコードを読み取る第２のバーコードリーダ２１を備え、当該価格帯バーコードに基づき選択された景品の売上や会員等を管理する景品管理装置２と、景品注文装置とネットワーク６を介して接続され、景品注文装置で景品が選択されると仮注文として受け付けし、当該選択された景品の景品バーコードが第１のバーコードリーダで読み取られると景品受注を確定して景品受注信号Ｓ２を出力する景品サーバ４と、景品サーバとネットワーク７を介して接続され、当該景品サーバから送信された景品受注信号を受信する景品受注装置５とから構成されている。【選択図】図１
2008080063.tif 000002
【特許請求の範囲】
【請求項１】
登録された景品群から所望の景品を選択すると当該景品に関する第１の情報媒体及び当該景品が該当する価格帯に関する第２の情報媒体を出力するデータ出力部を備えると共に、前記第１の情報媒体を読み取る第１の読取器を備えた景品注文装置と、
前記第２の情報媒体を読み取る第２の読取器を備え、当該第２の情報媒体に基づき前記選択された景品の売上や会員等を管理する管理装置と、
前記景品注文装置とネットワークを介して接続され、前記景品注文装置で前記景品が選択されると仮注文として受け付けし、当該選択された景品の前記第１の情報媒体が前記第１の読取器で読み取られると景品受注を確定して景品受注信号を出力する景品サーバと、
前記景品サーバとネットワークを介して接続され、当該景品サーバから送信された前記景品受注信号を受信する景品受注装置と
から構成されていることを特徴とする景品注文システム。
【請求項２】
前記景品注文装置は、
前記景品群が有する各景品に関する前記第１の情報媒体のデータ及び前記第２の情報媒体のデータが登録された記憶部と、
前記記憶部に登録された前記各景品から所望の景品を選択する景品選択部と、
前記景品選択部で選択された景品に基づき前記記憶部から該当する前記第１の情報媒体のデータ及び前記第２の情報媒体のデータを読み出して前記データ出力部に送信する制御部と
を備えたことを特徴とする請求項１記載の景品注文システム。
【請求項３】
前記第１の情報媒体及び前記第２の情報媒体が光学的情報媒体の場合には、前記データ出力部はプリンタであることを特徴とする請求項１又は請求項２記載の景品注文システム。
【請求項４】
前記第１の情報媒体及び前記第２の情報媒体が非接触型ＩＣの場合には、前記データ出力部は前記非接触型ＩＣにデータを書き込むライターであることを特徴とする請求項１又は請求項２記載の景品注文システム。
【請求項５】
前記管理装置が有する記憶部には、前記第２の情報媒体のデータが登録されていることを特徴とする請求項１乃至請求項４のうち何れか１項に記載の景品注文システム。
【請求項６】
登録された景品群から所望の景品を選択すると当該景品に関する第１の情報媒体及び当該景品が該当する価格帯に関する第２の情報媒体を出力するデータ出力部を備えると共に、前記第１の情報媒体を読み取る第１の読取器を備えた景品注文装置と、
前記第２の情報媒体を読み取る第２の読取器を備え、当該第２の情報媒体に基づき前記選択された景品の売上や会員等を管理する管理装置と、
前記景品注文装置とネットワークを介して接続され、前記景品注文装置で前記景品が選択されると仮注文として受注し、当該選択された景品の前記第１の情報媒体が前記第１の読取器で読み取られると景品受注を確定する景品受注装置と
から構成されていることを特徴とする景品注文システム。
【請求項７】
登録された景品群から所望の景品を選択すると、当該景品を示す第１のバーコード及び当該景品が該当する価格帯を示す第２のバーコードが印刷されたレシートを発行するプリンタを備えると共に、前記レシートに印刷された前記第１のバーコードを読み取る第１のバーコードリーダを備えた景品注文装置と、
前記レシートに印刷された前記第２のバーコードを読み取る第２のバーコードリーダを備え、当該第２のバーコードに基づき前記選択された景品の売上や会員等を管理する管理装置と、
前記景品注文装置とネットワークを介して接続され、前記景品注文装置で前記景品が選択されると仮注文として受け付けし、当該選択された景品の前記第１のバーコードが前記第１のバーコードリーダで読み取られると景品受注を確定して景品受注信号を出力する景品サーバと、
前記景品サーバとネットワークを介して接続され、当該景品サーバから送信された前記景品受注信号を受信する景品受注装置と
から構成されていることを特徴とする景品注文システム。
【発明の詳細な説明】
【技術分野】
【０００１】
本発明は、遊技場等に適用される景品注文システムに係り、特に、景品注文装置で所望の景品を注文すると共に、ＰＯＳ等の管理装置で景品の売上や会員等を管理する景品注文システムに関する。
【背景技術】
【０００２】
従来から、パチンコ機やスロットマシンなどの遊戯機を設置している遊技場では、遊戯で獲得した賞球やメダル等の遊戯媒体を景品に交換するための景品交換システムが導入されている（例えば、特許文献１参照）。
【０００３】
この景品交換管理システムは、遊戯で獲得した遊戯媒体の総数を計数する計数機と、景品の売上を管理する景品管理装置とを備えている。計数機は遊戯者が投入口に遊戯媒体を投入すると、計数センサによって計数し、その計数結果がバーコードとして印刷されたレシートを発行する。景品管理装置は、計数機から発行されたレシートを読み取るバーコードリーダを備え、店員がそのレシートをバーコードリーダで読み取ると、遊戯者の貯玉情報等を表示部で確認できる。したがって、遊戯者は玉数に応じた景品を選択することができる。
【０００４】
また、このような景品交換システムには、遊技場における景品の陳列を最小限もしくは不要にすると共に景品の数や種類を豊富に扱うことができる獲得ポイントの景品交換処理装置、遊技場の景品交換システムが提案されている（例えば、特許文献２、特許文献３参照。）。
【０００５】
獲得ポイントの景品交換処理装置は、パチンコ店に備えられた貯玉システム及びコンピュータ装置と、コンピュータ装置にインターネットを介して接続され景品提供会社に備えられたクライアント端末と、コンピュータ装置にインターネットを介して接続され遊戯者である顧客の自宅に備えられた通信端末とから構成されている。貯玉システムは遊戯者である顧客がパチンコ台で獲得した賞球の貯玉数を管理し、コンピュータ装置は顧客の貯玉等の情報や景品の売上等を管理する。クライアント端末はパチンコ店のコンピュータ装置から発注された景品注文情報を受信することができるので、景品提供会社は顧客の自宅に受注した景品を宅配等によって送ることができる。また、顧客は自宅に備えられた通信端末でも交換可能な景品をパチンコ店に備えられたコンピュータ装置に要求することができる。
【０００６】
遊技場の景品交換システムは、遊技場に備えられた情報端末と、情報端末にインターネットを介して接続され景品供給元に備えられた景品供給元サーバとから構成されている。情報端末は、遊戯者が表示手段で景品を見ながら入力手段で選択することができ、その景品情報はインターネットを介して景品供給元サーバに伝送される。したがって、景品供給元サーバで選択された景品を確認した景品供給元は、遊戯者が選択した景品を発送することができる。
【０００７】
【特許文献１】特開２００２−１９１８４８号公報。
【０００８】
【特許文献２】特開２００３−３１０９９２号公報。
【０００９】
【特許文献３】特開２００１−１９８３４３号公報。
【発明の開示】
【発明が解決しようとする課題】
【００１０】
しかしながら、特許文献１に開示された景品交換管理システムでは、遊技場が予め景品を仕入れておく必要があるので、景品の陳列に限りがある遊技場では、景品の多種多様化に対応させることが困難であった。これに対して特許文献２に開示された獲得ポイントの景品交換処理装置や特許文献３に開示された遊技場の景品交換システムは、景品提供側が遊技場とは独立して存在するので、景品の多種多様化に対応させることができ、また、景品に生鮮食料品などの保存が困難な景品も取り扱うことが可能になる。しかしながら、何れにおいても各機器でネットワークを構築しなければならないので、出玉計数機及びＰＯＳ（Point Of Sales system）等の管理装置のみを備えた店舗ではシステム毎交換しなければならなかった。また、遊戯者が情報端末で景品を選択すると、直ぐに景品提供側で景品の受注が確定してしまうので、景品の選択の余地が狭まってしまう難点があった。さらに、何れのシステムにおいても、景品の売上を管理するにあたって、景品を増やす度に景品データも追加変更しなければならなかった。
【００１１】
本発明は、このような従来の難点を解決するためになされたもので、ＰＯＳ等の管理装置を備えた店舗、あるいは遊戯媒体の計数機及びＰＯＳ等の管理装置のみを備えた店舗において、システムを大幅に変更することなく景品の多種多様化に対応させることができる景品注文システムを提供することを目的とする。
【課題を解決するための手段】
【００１２】
上述の目的を達成する本発明の第１の態様である景品注文システムは、登録された景品群から所望の景品を選択すると当該景品に関する第１の情報媒体及び当該景品が該当する価格帯に関する第２の情報媒体を出力するデータ出力部を備えると共に、第１の情報媒体を読み取る第１の読取器を備えた景品注文装置と、第２の情報媒体を読み取る第２の読取器を備え、当該第２の情報媒体に基づき選択された景品の売上や会員等を管理する管理装置と、景品注文装置とネットワークを介して接続され、景品注文装置で景品が選択されると仮注文として受け付けし、当該選択された景品の第１の情報媒体が第１の読取器で読み取られると景品受注を確定して景品受注信号を出力する景品サーバと、景品サーバとネットワークを介して接続され、当該景品サーバから送信された景品受注信号を受信する景品受注装置とから構成されている。
【００１３】
このような第１の態様によれば、景品注文者が景品注文装置で景品群から所望の景品を選択すると、データ出力部から当該景品に関する第１の情報媒体及び当該景品が該当する価格帯に関する第２の情報媒体が出力され、受注サーバは当該景品を仮注文として受け付ける。また、第２の情報媒体は店員が管理装置の第２の読取器で読み取ることで、当該景品を価格帯で売上処理することができる。したがって、景品の売上を管理するにあたって、同一価格帯の景品ならば景品を増やしても景品データを追加変更する必要性がなくなる。また、店員が管理装置の第２の読取器で第２の情報媒体を読み取り後、第１の情報媒体を景品注文装置の第１の読取器で読み取ることで、受注サーバが仮注文として受け付けた当該景品の景品受注を確定して景品受注装置に景品受注信号を送信する。景品受注装置は景品受注信号を受信することで、所定の景品の景品受注があったことを確認できる。したがって、ＰＯＳ等の管理装置を備えた店舗、あるいは遊戯媒体の計数機及びＰＯＳ等の管理装置のみを備えた店舗においては、それぞれシステムを大幅に変更することなく景品の多種多様化に対応させることができる。
【００１４】
なお、本発明の第２の態様である景品注文システムは、景品受注装置に景品サーバの機能をもたせたものである。
【００１５】
また、本発明の第３の態様である景品注文システムは、登録された景品群から所望の景品を選択すると、当該景品を示す第１のバーコード及び当該景品が該当する価格帯を示す第２のバーコードが印刷されたレシートを発行するプリンタを備えると共に、レシートに印刷された第１のバーコードを読み取る第１のバーコードリーダを備えた景品注文装置と、レシートに印刷された第２のバーコードを読み取る第２のバーコードリーダを備え、当該第２のバーコードに基づき選択された景品の売上や会員等を管理する管理装置と、景品注文装置とネットワークを介して接続され、景品注文装置で景品が選択されると仮注文として受け付けし、当該選択された景品の第１のバーコードが第１のバーコードリーダで読み取られると景品受注を確定して景品受注信号を出力する景品サーバと、景品サーバとネットワークを介して接続され、当該景品サーバから送信された景品受注信号を受信する景品受注装置とから構成されているものである。
【００１６】
このような第３の態様によれば、景品注文者が景品注文装置で景品群から所望の景品を選択すると、プリンタから当該景品に関する第１のバーコード及び当該景品が該当する価格帯に関する第２のバーコードが印刷されたレシートが発行され、受注サーバは当該景品を仮注文として受け付ける。また、レシートに印刷された第２のバーコードは店員が管理装置の第２のバーコードリーダで読み取ることで、当該景品を価格帯で売上処理することができる。したがって、景品の売上を管理するにあたって、同一価格帯の景品ならば景品を増やしても景品データを追加変更する必要性がなくなる。また、店員が管理装置のバーコードリーダでレシートの第２のバーコードを読み取り後、そのレシートの第１のバーコードを景品注文装置の第１のバーコードリーダで読み取ることで、受注サーバが仮注文として受け付けた当該景品の景品受注を確定して景品受注装置に景品受注信号を送信する。景品受注装置は景品受注信号を受信することで、所定の景品の景品受注があったことを確認できる。したがって、ＰＯＳ等の管理装置を備えた店舗、あるいは遊戯媒体の計数機及びＰＯＳ等の管理装置のみを備えた店舗においては、それぞれシステムを大幅に変更することなく景品の多種多様化に対応させることができる。
【発明の効果】
【００１７】
本発明の景品注文システムによれば、ＰＯＳ等の管理装置を備えた店舗、あるいは遊戯媒体の計数機及びＰＯＳ等の管理装置のみを備えた店舗においては、それぞれシステムを大幅に変更することなく景品の多種多様化に対応させることができる。また、本発明の景品注文システムによれば、景品の売上を管理するにあたって、同一価格帯の景品ならば景品を増やしても景品データを追加変更する必要性がなくなる。
【発明を実施するための最良の形態】
【００１８】
以下、本発明の景品注文システムにおける好ましい実施の形態例について図面を参照して説明する。図１は本発明の好ましい実施の形態例による景品注文システムを示す図で、（Ａ）はシステム全体のブロック図で、（Ｂ）は出玉レシートの説明図で、（Ｃ）は景品レシートの説明図である。
【００１９】
本発明の景品注文システムが適用される遊技場は図１（Ａ）に示すように、例えばパチンコ店で、パチンコゲーム機で獲得したパチンコ玉の出玉を計数する出玉計数機１と、景品の売上や会員情報を管理する景品管理装置２とを備えている。出玉計数機１は、パチンコ玉を投入する投入口と、投入口に投入されたパチンコ玉を計数する計数センサと、計数センサで計数されたパチンコ玉の出玉数等が印刷された出玉レシート１０（図１（Ｂ）参照）を発行するプリンタ１ａとを備えている。プリンタ１ａから発行される出玉レシート１０は図１（Ｂ）に示すように、発券ナンバー、発行日、出玉数と共に、それらがバーコード化されて印刷されている。景品管理装置２は、出玉レシート１０を読み取るバーコードリーダ２１と、出玉数や会員情報を登録するメモリ等が使用される記憶部２２と、出玉数や会員情報等を表示する液晶パネル等が使用される表示部とを備えている。この景品管理装置２としては、一般的にはＰＯＳ（Point Of Sales System）が使用され会員用の磁気カードあるいはＩＣカードを挿入する挿入口を備えている。
【００２０】
さらに、本発明の景品注文システムは、登録された景品群から所望の景品を選択する景品注文装置３と、景品注文装置３とインターネット等のネットワーク６を介して接続された景品サーバ４と、景品サーバ４とインターネット等のネットワーク７を介して接続された景品受注装置５とを備えている。
【００２１】
景品注文装置３は、メモリ等が使用され、景品のバーコードのデータ、及び登録する景品を同価格帯の同一種類に区分けする景品群のバーコードのデータが複数登録された記憶部３１と、タッチパネルを有する液晶パネル等が使用され、記憶部３１に登録された各景品を表示し、各景品から所望の景品を選択する表示部３２と、表示部３２で選択された景品に基づき記憶部３１から該当する景品のバーコードのデータ及び景品群のバーコードのデータを読み出して送出すると共に景品注文信号Ｓ１も送出する制御部３３と、制御部３３から送信されたデータに基づき景品のバーコード及び景品群のバーコードを印刷する景品レシート１００（図１（Ｃ）参照）を発行するプリンタ３４とを備えている。プリンタ３４から発行される景品レシート１００は、発券ナンバーと共に、景品バーコード１００ａ、景品群バーコード１００ｂが印刷されている。また、景品注文装置３は、景品レシート１００の景品バーコード１００ａを読み取るためのバーコードリーダ３５を備えている。景品注文装置３は、バーコードリーダ３５で景品レシート１００の景品バーコード１００ａを読み取ると、景品の受注を確定する景品受注信号Ｓ２を景品サーバ４に送信する。このような景品注文装置３は、パーソナルコンピュータを活用することが好適である。
【００２２】
景品サーバ４は、景品注文装置３で景品が選択され制御部３３から送信された景品注文信号Ｓ１を受信すると仮注文として受け付ける第１の機能と、第１の機能で景品を仮注文として受け付け後、その仮注文として受け付けた景品の景品レシート１００の景品バーコード１００ａに対応する景品受注信号Ｓ２を受信すると景品受注を確定して景品受注信号を景景品受注装置５に送信する第２の機能とを有している。
【００２３】
景品受注装置５はパチンコ店とは別の場所にある景品提供会社に備えられ、景品サーバ４から送信された景品受注確定信号Ｓ２より、依頼者である遊戯者の住所、名前等と、選択された景品の内容を表示部やプリンタ等で確認することができる。このような景品受注装置５としては、パーソナルコンピュータが好適である。
【００２４】
このように構成された景品注文システムの動作について、図１、図２に基づき説明する。図２は、記憶データの処理に関する説明図で、（Ａ）は景品注文装置の記憶部内の景品に関する記憶データを模式的に示す図で、（Ｂ）は管理装置の記憶部内の景品群に関する記憶データを模式的に示す図で、（Ｃ）は顧客の注文した景品が該当する景品群に関する記憶データを模式的に示す図ある。
【００２５】
また、景品注文装置３の記憶部３１内の景品に関する記憶データは、景品群コード：Ｇ０１、景品群名称：スイーツ、景品コード：Ａ００１、景品名：チョコレート、価格帯：２５００円の景品登録情報と、景品群コード：Ｇ０１、景品群名称：スイーツ、景品コード：Ａ００２、景品名：ケーキ、価格帯：２５００円の景品登録情報と、景品群コード：Ｇ０１、景品群名称：スイーツ、景品コード：Ａ００３、景品名：クッキー、価格帯：２５００円の景品登録情報と、景品群コード：Ｇ０２、景品群名称：くだもの、景品コード：Ａ００４、景品名：メロン、価格帯：４０００円の景品登録情報とする（図２（Ａ））。管理装置２の記憶部２２内の景品群に関する記憶データは、景品群コード：Ｇ０１、景品群名称：スイーツ、価格帯：２５００円の景品群登録情報と、景品群コード：Ｇ０２、景品群名称：くだもの、価格帯：４０００円の景品群登録情報とする（図２（Ｂ））。したがって、この景品群情報は価格帯によって区分されるので、景品の売上を管理するにあたって、同一価格帯の景品ならば景品を増やしても景品データとなる記憶データを追加変更する必要性がなくなる。
【００２６】
遊戯者は、パチンコゲーム機での遊戯を終了すると、獲得したパチンコ玉を出玉計数機１で出玉数を計数する。出玉計数機１は、投入口に投入されたパチンコ玉の総数を計数センサで計数し、計数センサで計数されたパチンコ玉の出玉数等が印刷された出玉レシート１０をプリンタ１ａから発行する。
【００２７】
遊戯者は出玉レシート１０で出玉数を確認後、景品注文装置３の表示部３２で出玉数に応じた所望の景品、例えばチョコレートを選択する。景品注文装置３は表示部３２で景品が選択されると、制御部３３が記憶部３１に登録された景品登録情報（図２（Ａ）参照）から景品コードＡ００１のチョコレートに関する記憶データを読み出す。制御部３３はこの景品コードＡ００１のチョコレートに関する記憶データに基づく景品バーコード１００ａ及び景品群バーコード１００ｂと共に発券ナンバー、発行日等が印刷されたレシート１００をプリンタ３４から発行する。なお、景品バーコード１００ａ及び景品群バーコード１００ｂにも、発券ナンバー、発行日等の情報が入っている。
【００２８】
また、制御部３３は、景品コードＡ００１のチョコレートに関する記憶データと発券ナンバー、発行日等のデータに基づく景品注文信号Ｓ１を、ネットワーク６を介して景品サーバ４に伝送する。景品サーバ４は、景品注文装置３から送信された景品注文信号Ｓ１を受信すると第１の機能に基づき景品コードＡ００１のチョコレートを仮注文として受け付ける。
【００２９】
そして、遊戯者は景品レシート１００及び出玉レシート１０を店内のサービスカウンタまで持って行き店員に手渡す。店員は出玉レシート１０のバーコードと景品レシート１００の景品群バーコード１００ｂとを景品管理装置２のバーコードリーダ２１で読み取る。また、遊戯者が会員でない場合には、遊戯者の名前、住所等の情報を景品管理装置２に入力することで、景品の発送先を確定する。一方、遊戯者が会員の場合には、会員用の磁気カードあるいはＩＣカードを景品管理装置２の挿入口に挿入する。景品管理装置２は遊戯者が選択した景品が出玉数で購入できる場合には図２（Ｃ）に示すように、景品群コードＧ０１のスイーツを価格帯２５００円として売上に計上する。なお、遊戯者が会員の場合には、景品交換することなく会員用の磁気カードあるいはＩＣカードに出玉数を貯玉してもよい。
【００３０】
さらに、店員は、遊戯者の選択した景品が出玉数で購入できるので、景品注文装置３のバーコードリーダ３５で景品レシート１００の景品バーコード１００ａを読み取る。景品注文装置３は、バーコードリーダ３５で景品レシート１００の景品バーコード１００ａが読み取られると、景品コードＡ００１のチョコレートに関する記憶データと発券ナンバー、発行日等のデータ、さらに遊戯者の名前、住所等のデータに基づく景品受注確定信号Ｓ２を、ネットワーク６を介して景品サーバ４に伝送する。景品サーバ４は、景品注文装置３から送信された景品受注信号Ｓ２を受信すると第２の機能に基づき予め仮注文として受け付けた景品コードＡ００１のチョコレートのデータと照合し一致していれば受注を確定して、景品コードＡ００１のチョコレートに関する記憶データ及び遊戯者の名前、住所等のデータに基づく景品発注信号Ｓ３を、ネットワーク７を介して景品受注装置５に送信する。
【００３１】
したがって、景品受注会社では景品受注装置５で受注したチョコレートを、依頼した遊戯者の居住場所に配送することができる。
【００３２】
このように、一般的な出玉計数機１及び景品管理装置２のみを備えたパチンコ店でも、店内に景品注文装置３を出玉計数機１や景品管理装置２と電気的に接続することなく設置することができるので、店内のシステムを大幅に変更することなく景品の多種多様化に対応させることができる。
【００３３】
なお、上述した本実施例では景品サーバ４と景品受注装置５とは別体になっていたが、景品受注装置に景品サーバの機能を持たせてもよい。
【００３４】
また、上述した本実施例では景品や景品群に関する情報媒体として光学的情報媒体であるバーコードを利用していたが、ＱＲコード等の２次元コードでもよい。２次元コードの場合、景品注文装置３の表示部３２にその２次元コードを表示させ、携帯電話に内蔵されたカメラで読み取ることで、その映像がレシートの代わりになる。また、管理装置２のバーコードリーダ２１を２次元コードも読み取ることができるものとし、景品注文装置３のバーコードリーダ３５を２次元コードも読み取ることができるものとすることで、携帯電話の表示部に表示された２次元コードの映像を読み取ることができる。したがって、バーコードと同じ景品注文処理をすることで、店舗で景品を受注し、店舗とは別の場所にある景品受注会社から依頼者である遊戯者の居住地に景品を発送することができる。
【００３５】
さらに、景品や景品群に関する情報媒体はバーコードが印刷されたレシートではなく、非接触型ＩＣでもよい。非接触型ＩＣはＲＦＩＤ（Radio Frequency Identification）で使用されるもので、バーコードが印刷されたレシートの代わりにＩＣタグが内蔵されたカードが利用される。このカードは上述した会員用のカードを利用してもよい。
【００３６】
このＩＣタグに景品や景品群に関する情報を記録させることで、ＩＣタグがレシートの代わりになる。また、景品注文装置３のプリンタ３４をＩＣタグにデータを書き込むライターとし、ＩＣタグをライターに近づけることで景品及び景品群に関する情報を書き込むことができる。さらに、景品管理装置２のバーコードリーダ２１をＩＣタグから無線送信されるデータを読み取るリーダとすることで、このリーダで景品群の情報を読み取ることができる。また、景品注文装置３のバーコードリーダ３５をＩＣタグから無線送信されるデータを読み取るリーダとすることで、このリーダで景品の情報を読み取ることができる。したがって、バーコードと同じ景品注文処理をすることで、店舗で景品を受注し、店舗とは別の場所にある景品受注会社から依頼者である遊戯者の居住地に景品を発送することができる。
【００３７】
また、上述した本実施例では本発明の景品注文システムをパチンコ店に採用していたが、これに限らず、店舗で景品を受注し、店舗とは別の場所にある景品受注会社から景品を発送するような商売形態ならば、どのような業種にも適用させることができる。したがって、パチンコ玉やメダル等の遊戯媒体を計数する計数機は、必ずしも必須構成要件ではない。
【００３８】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００３９】
【図１】図１は本発明の好ましい実施の形態例による景品注文システムを示す図である。
【図２】図２は記憶データの処理に関する説明図である。
【符号の説明】
【００４０】
１０……出玉レシート
２……景品管理装置
２１……バーコードリーダ（第２の読取器）
３……景品注文装置
３１……記憶部
３２……表示部（景品選択部）
３３……制御部
３４……プリンタ（データ出力部）
３５……バーコードリーダ（第１の読取器）
４……景品サーバ
５……景品受注装置
６、７……ネットワーク
１００……景品レシート
１００ａ……景品バーコード（第１の情報媒体）
１００ｂ……景品群バーコード（第２の情報媒体）
Ｓ２……景品受注信号
【図１】
2008080063.tif 000003
【図２】
2008080063.tif 000004